(57)【要約】【課題】オフィスなどの設置場所が夜間に照明を消されると、自動で電子装置、画像形成装置の状態を通常の待機モードなどから省エネモードに移行するようにして、電子装置、画像形成装置の操作性を向上させる。また、翌朝に設置場所が明るくなると、自動で速やかに電子装置、画像形成装置の状態を省エネモードから通常の待機モードなどに復帰させて、朝一番の本装置の立ち上げ時におけるユーザの待ち時間を低減する。【解決手段】照度センサにより、周りが暗くなって夜になったことを検知すると（ステップＳ１のＮ）、省エネモードに移行し（ステップＳ９）、翌朝、周りが明るくなると、通常の待機モードに復帰する（ステップＳ１３）。【選択図】    図２
2004248047.tif 000002
【特許請求の範囲】
【請求項１】
媒体上に画像形成を行うプリンタエンジンと、
本装置に電力を供給する電源回路と、
本装置の外部の光の光量を検出する照度センサと、
この受光量があらかじめ設定された所定値を下回るときは本装置を省電力状態に移行する第１の省電力移行手段と、
前記省電力状態にあるときに所定の条件が満たされたときは前記電源回路を制御して前記電力を前記省電力状態から復帰させる第１の復帰手段と、
を備えている画像形成装置。
【請求項２】
前記第１の省電力移行手段は、前記所定値を下回る状態があらかじめ設定されている所定時間継続したことを条件に前記移行を行う、請求項１に記載の画像形成装置。
【請求項３】
前記第１の省電力移行手段により前記省電力状態にあるときに前記受光量があらかじめ設定された所定値以上となるときは前記復帰を行う第２の復帰手段をさらに備えている、請求項１又は２に記載の画像形成装置。
【請求項４】
前記第１の復帰手段は、前記第１の省電力移行手段により前記省電力状態にあるときに前記所定値を下回る状態があらかじめ設定されている所定時間継続したことを条件に前記復帰を行う、請求項３に記載の画像形成装置。
【請求項５】
本装置の振動を検出する振動センサと、
前記第１の省電力移行手段による前記省電力状態にあるときに前記振動の検出があったときは前記復帰を行う第２の復帰手段と、
を備えている請求項１〜４のいずれかの一に記載の画像形成装置。
【請求項６】
前記第２の復帰手段により前記復帰がなされたときは本装置の所定の状態を音声によりユーザに報知する報知手段をさらに備えている、請求項５に記載の画像形成装置。
【請求項７】
あらかじめ設定されている一定期間に前記画像形成の実行の要求がなかったときは前記電源回路を制御して前記電力を低減することにより本装置を省電力状態に移行する第２の省電力移行手段をさらに備え、
前記第１の復帰手段は、前記第２の省電力移行手段により前記省電力状態にあるときにも前記復帰を行う、
請求項１〜６のいずれかの一に記載の画像形成装置。
【請求項８】
原稿の画像を読み取る画像読取装置をさらに備え、
前記プリンタエンジンは前記原稿の読み取り画像に基づいて前記画像形成を行う、
請求項１〜７のいずれかの一に記載の画像形成装置。
【請求項９】
本装置に電力を供給する電源回路と、
本装置の外部の光の光量を検出する照度センサと、
この受光量があらかじめ設定された所定値を下回るときは本装置を省電力状態に移行する第１の省電力移行手段と、
前記省電力状態にあるときに所定の条件が満たされたときは前記電源回路を制御して前記電力を前記省電力状態から復帰させる第１の復帰手段と、
を備えている電子装置。
【請求項１０】
前記第１の省電力移行手段により前記省電力状態にあるときに前記受光量があらかじめ設定された所定値以上となるときは前記復帰を行う第２の復帰手段をさらに備えている、請求項９に記載の電子装置。
【請求項１１】
あらかじめ設定されている一定期間に所定のジョブの実行の要求がなかったときは前記電源回路を制御して前記電力を低減することにより本装置を省電力状態に移行する第２の省電力移行手段をさらに備え、
前記第１の復帰手段は、前記第２の省電力移行手段により前記省電力状態にあるときにも前記復帰を行う、
請求項９又は１０に記載の画像形成装置。
【発明の詳細な説明】
【０００１】
【発明の属する技術分野】
本発明は、省電力機能を備えた画像形成装置及び電子装置に関する。
【０００２】
【従来の技術】
特許文献１には、通信装置や通信装置を備えた画像形成装置において、待機状態での消費電力を極力減らし、かつ必要が生じたときには動作できるようにした技術について開示されている。
【０００３】
また、特許文献２には、簡単なソフトウエア制御で省エネモードから通常のモードへ復帰することができるようにした画像形成装置について開示されている。
【０００４】
【特許文献１】
特開平０７−２２６８１５号公報
【特許文献２】
特開２０００−１７２１３０公報
【０００５】
【発明が解決しようとする課題】
昨今の地球環境保全の動きに対応して、レーザープリンタ等の画像形成装置においても、一定時間以上、外部のホストコンピュータから印刷ジョブの要求がなかった場合に、通常の待機状態からさらに消費電力を低減するいわゆる省エネルギーモード（以下、省エネモードと呼ぶ）に移行する技術が知られている（特許文献１，２参照）。
【０００６】
しかしながら、このような省エネモードにおいて、オフィスなどの設置場所が夜間に照明を消されることによって速やかに画像形成装置の状態を待機モードから省エネモードに移行し、また、翌朝には速やかに画像形成装置の状態を省エネモードから待機モードに移行できるようにできれば、画像形成装置の操作性を向上させることができ、朝一番の装置の立ち上げ時においてユーザの待ち時間を低減することもできて、便利である。
【０００７】
また、複数のホストインターフェイス（以下、単にＩ／Ｆという）を有する画像形成装置の場合（例えば、一台でネットワークＩ／Ｆ、セントロＩ／Ｆ、ＵＳＢ等を備えているような場合）、画像形成装置が省エネモード中にメインのホストＩ／Ｆ以外（上記例では、ネットワークＩ／Ｆ以外）の手段を用いて印刷をする場合には、ホストコンピュータからのデータの送信では省エネモードからの復帰は自動的には行われないため、この送信に先立って画像形成装置の操作パネルを操作することによって、画像形成装置を省エネモードから復帰させるのが一般的である。そのため、省エネモード時において操作パネルの操作の有無を検知する必要が生じるので、この省エネモード時においても操作パネルの必要な回路部分に通電を行うことが必要となっていた。
【０００８】
一方、視覚障害者の方の社会における活躍の場が広がりつつある中、アプライアンス対応として画像形成装置の操作簡略化が一層求められ、画像形成装置の設定や状態を把握するための操作は、操作パネルに依存することなく極力単純化することが求められつつある。
【０００９】
この発明の目的は、オフィスなどの設置場所が夜間に照明を消されると、自動で電子装置、画像形成装置の状態を通常の待機モードなどから省エネモードに移行するようにして、電子装置、画像形成装置の操作性を向上させることである。
【００１０】
この発明の別の目的は、この場合に、翌朝に設置場所が明るくなると、自動で速やかに電子装置、画像形成装置の状態を省エネモードから通常の待機モードなどに復帰させて、朝一番の本装置の立ち上げ時におけるユーザの待ち時間を低減することである。
【００１１】
この発明の別の目的は、省エネモードから復帰に操作パネルの操作などは必要なく、本装置を軽く叩くなどすれば省エネモードから通常の待機モードなどに復帰させることを可能として、電子装置、画像形成装置の操作性を向上させることである。
【００１２】
この発明の別の目的は、この場合に、電子装置、画像形成装置を軽く叩くなどすれば電子装置、画像形成装置の状態を音声でもユーザに伝えることができるようにして、視覚障害者の方にも簡単な操作で電子装置、画像形成装置を扱えるようにすることである。
【００１３】
【課題を解決するための手段】
請求項１に記載の発明は、媒体上に画像形成を行うプリンタエンジンと、本装置に電力を供給する電源回路と、本装置の外部の光の光量を検出する照度センサと、この受光量があらかじめ設定された所定値を下回るときは本装置を省電力状態に移行する第１の省電力移行手段と、前記省電力状態にあるときに所定の条件が満たされたときは前記電源回路を制御して前記電力を前記省電力状態から復帰させる第１の復帰手段と、を備えている画像形成装置である。
【００１４】
したがって、オフィスなどの本装置の設置場所が夜間に照明を消されると、画像形成装置の状態を省電力状態にはない通常の待機モードなどから省電力状態を維持する省エネモードに移行することができるので、画像形成装置の操作性を向上させることができる。
【００１５】
請求項２に記載の発明は、前記第１の省電力移行手段は、前記所定値を下回る状態があらかじめ設定されている所定時間継続したことを条件に前記移行を行う。
【００１６】
したがって、一時的に室内を消灯した場合などには省エネモードに移行しないので、夜間に照明を消されたことを的確に判断して省エネモードに移行することができる。
【００１７】
請求項３に記載の発明は、請求項１又は２に記載の画像形成装置において、前記第１の省電力移行手段により前記省電力状態にあるときに前記受光量があらかじめ設定された所定値以上となるときは前記復帰を行う第２の復帰手段をさらに備えている。
【００１８】
したがって、翌朝に本装置の設置場所が明るくなると、速やかに画像形成装置の状態を省エネモードから通常の待機モードなどに移行することができ、朝一番の本装置の立ち上げ時においてユーザの待ち時間を低減することができる。
【００１９】
請求項４に記載の発明は、請求項３に記載の画像形成装置において、前記第１の復帰手段は、前記第１の省電力移行手段により前記省電力状態にあるときに前記所定値を下回る状態があらかじめ設定されている所定時間継続したことを条件に前記復帰を行う。
【００２０】
したがって、一時的に室内の照明を点灯した場合などには省エネモードに移行しないので、朝が来たことを的確に判断して省エネモードから通常の待機モードなどから復帰することができる。
【００２１】
請求項５に記載の発明は、請求項１〜４のいずれかの一に記載の画像形成装置において、本装置の振動を検出する振動センサと、前記第１の省電力移行手段による前記省電力状態にあるときに前記振動の検出があったときは前記復帰を行う第２の復帰手段と、を備えている。
【００２２】
したがって、ホストコンピュータなどから印刷ジョブを送信するなどしても省エネモードから復帰しない構成である画像形成装置などにおいても、操作パネルの操作などは必要なく、本装置を軽く叩くなどすれば省エネモードから通常の待機モードなどに復帰させることができるので、画像形成装置の操作性を向上させることができる。
【００２３】
請求項６に記載の発明は、請求項５に記載の画像形成装置において、前記第２の復帰手段により前記復帰がなされたときは本装置の所定の状態を音声によりユーザに報知する報知手段をさらに備えている。
【００２４】
したがって、省エネモードから復帰する際には、画像形成装置を軽く叩くなどすれば画像形成装置の状態（媒体である転写紙の残量、トナーの残量、転写紙がジャムしたときであればジャムの箇所など）を音声でもユーザに伝えることができるので、視覚障害者の方にも簡単な操作で画像形成装置を扱えるようにすることができる。
【００２５】
請求項７に記載の発明は、請求項１〜６のいずれかの一に記載の画像形成装置において、あらかじめ設定されている一定期間に前記画像形成の実行の要求がなかったときは前記電源回路を制御して前記電力を低減することにより本装置を省電力状態に移行する第２の省電力移行手段をさらに備え、前記第１の復帰手段は、前記第２の省電力移行手段により前記省電力状態にあるときにも前記復帰を行う。
【００２６】
したがって、あらかじめ設定されている一定期間に画像形成の実行の要求がなかったときは省電力状態に移行する機能を備えた画像形成装置について、請求項１〜６のいずれかの一に記載の発明と同様の作用、効果を奏することができる。
【００２７】
請求項８に記載の発明は、請求項１〜７のいずれかの一に記載の画像形成装置において、原稿の画像を読み取る画像読取装置をさらに備え、前記プリンタエンジンは前記原稿の読み取り画像に基づいて前記画像形成を行う。
【００２８】
したがって、請求項１〜７のいずれかの一に記載の発明と同様の作用、効果を奏する。
【００２９】
請求項９に記載の発明は、本装置に電力を供給する電源回路と、本装置の外部の光の光量を検出する照度センサと、この受光量があらかじめ設定された所定値を下回るときは本装置を省電力状態に移行する第１の省電力移行手段と、前記省電力状態にあるときに所定の条件が満たされたときは前記電源回路を制御して前記電力を前記省電力状態から復帰させる第１の復帰手段と、を備えている電子装置である。
【００３０】
したがって、オフィスなどの本装置の設置場所が夜間に照明を消されると、電子装置の状態を省電力状態にはない通常の待機モードなどから省電力状態を維持する省エネモードに移行することができるので、電子装置の操作性を向上させることができる。
【００３１】
請求項１０に記載の発明は、請求項９に記載の電子装置において、前記第１の省電力移行手段により前記省電力状態にあるときに前記受光量があらかじめ設定された所定値以上となるときは前記復帰を行う第２の復帰手段をさらに備えている。
【００３２】
したがって、翌朝に本装置の設置場所が明るくなると、速やかに電子装置の状態を省エネモードから通常の待機モードなどに移行することができ、朝一番の本装置の立ち上げ時においてユーザの待ち時間を低減することができる。
【００３３】
請求項１１に記載の発明は、請求項９又は１０に記載の電子装置において、あらかじめ設定されている一定期間に所定のジョブの実行の要求がなかったときは前記電源回路を制御して前記電力を低減することにより本装置を省電力状態に移行する第２の省電力移行手段をさらに備え、前記第１の復帰手段は、前記第２の省電力移行手段により前記省電力状態にあるときにも前記復帰を行う。
【００３４】
したがって、あらかじめ設定されている一定期間に所定のジョブの実行の要求がなかったときは省電力状態に移行する機能を備えた画像形成装置について、請求項９又は１０に記載の発明と同様の作用、効果を奏することができる。
【００３５】
【発明の実施の形態】
本発明の一実施の形態について説明する。
【００３６】
図１は、本実施の形態の画像形成装置１のハードウエア構成の概要を示す機能ブロック図である。
【００３７】
図１において、画像形成装置１は本発明の電子装置、画像形成装置を実施するもので、符号２は、商用交流電源３から電力の供給を受けて、画像形成装置１に電力を供給する電源回路である。符号５は、エンジンボードであり、プリンタエンジン６の制御を司る。プリンタエンジン６は、用紙などの所定の媒体上に画像の形成を行う。その印刷方式は、電子写真方式のほか、インクジェット方式、昇華型熱転写方式、銀塩写真方式、直接感熱記録方式、溶融型熱転写方式などさまざまな方式を適用することができる。
【００３８】
符号７は、コントローラボードであり、マイクロコンピュータなどから構成されていて、図示しないホストコンピュータから受信した画像データを実際の印字用データに変換してエンジンボード５に受け渡すなど、画像形成装置１の全体を制御する。
【００３９】
符号８は、ネットワークインターフェイス（Ｉ／Ｆ）ボードであり、ローカルエリアネットワーク（ＬＡＮ）９と通信を行うための通信インターフェイスである。図示しないホストコンピュータからの印刷ジョブもネットワークＩ／Ｆボード８を介して受信する。
【００４０】
符号１０は、操作部であり、各種キーボードと液晶パネルを備え、ユーザから各種の操作を受け付け、また、ユーザに各種のメッセージを報知する。
【００４１】
符号１１は、電源部４内部のコンバータ（ＡＣ−ＤＣコンバータ）であり、１次側の商用交流電源３からのＡＣ入力を変換して２次側にＤＣ出力する。このＤＣ出力は、ＤＣ出力ａ，ｂ，ｃの三系統出力する。
【００４２】
符号１２は、スイッチング素子となるＦＥＴトランジスタであり、本ＦＥＴトランジスタ１２をＯＮ／ＯＦＦすることで、コンバータ１１のＤＣ出力ａについて、電源部４からの出力／未出力を切り替えることができる。符号１３もスイッチング素子となるＦＥＴトランジスタであり、本ＦＥＴトランジスタ１３をＯＮ／ＯＦＦすることで、コンバータ１１のＤＣ出力ｂについて、電源部４からの出力／未出力を切り替えることができる。
【００４３】
符号１４は、制御部であり、マイクロコンピュータなどから構成されて、ネットワークＩ／Ｆボード８の制御、ＦＥＴトランジスタ１２，１３の制御及び後述する振動センサ１７、照度センサ１８による検出などを行う。
【００４４】
符号１５は、ＦＥＴトランジスタ１２のＯＮ／ＯＦＦを制御する信号ラインであり、制御部１４からの制御信号を、コントローラボード７及びエンジンボード５を介して、電源部４のＦＥＴトランジスタ１２に出力する。符号１６も、ＦＥＴトランジスタ１２のＯＮ／ＯＦＦを制御する信号ラインであり、制御部１４からの制御信号を、コントローラボード７及びエンジンボード５を介して、電源部４のＦＥＴトランジスタ１３に出力する。
【００４５】
符号１７は、振動センサであり、画像形成装置１に対して振動が加えられると、その振動を検出して制御部１４に伝達する。
【００４６】
符号１８は、照度センサであり、本センサ１８に光が照射されると、その照度を検出して制御部１４に伝達する。
【００４７】
符号１９は、音声合成回路であり、その制御は制御部１４によってなされる。
【００４８】
ＤＣ出力ａは、メカトロニクス駆動用としてＦＥＴトランジスタ１２を介してエンジンボード５に供給されるもので、その供給／非供給は、前述したようにネットワークＩ／Ｆボード８の制御部１４がＦＥＴトランジスタ１２を制御することによって決定される。ＤＣ出力ａは、この例では＋２４Ｖである。
【００４９】
ＤＣ出力ｂは、ロジック回路駆動用としてＦＥＴトランジスタ１３を介してエンジンボード５、コントローラボード７及び操作パネル１０に供給されるもので、その供給／非供給は、前述したように制御部１４がＦＥＴトランジスタ１３を制御することによって決定される。ＤＣ出力ｂは、この例では＋５Ｖである。
【００５０】
ＤＣ出力ｃは、制御部１４の駆動用としてネットワークＩ／Ｆボード８に供給されるもので、その供給／非供給が制御されることはなく、画像形成装置１が商用交流電源３に接続されている限り、常に制御部１４に供給されている。ＤＣ出力ｃは、この例では＋５Ｖである。
【００５１】
なお、画像形成装置１は、原稿の画像を読み取るスキャナを備え、この読み取った画像に基づいてプリンタエンジン６で画像形成する複写機として構成としてもよい。
【００５２】
画像形成装置１は、消費電力を節減する、いわゆる省エネルギーモードで運転することができる。すなわち、制御部１４は、この省エネルギーモードの際においてはＦＥＴトランジスタ１２，１３をＯＦＦすることによって、制御部１４自身以外の各部について通電を断つことが可能であり、また、省エネルギーモードから復帰するに際しては、ＦＥＴトランジスタ１２，１３をＯＮすることによって、制御部１４自身以外の全ての通電を再開することが可能である。
【００５３】
次に、制御部１４が所定の制御プログラムに基づいて実行する処理の詳細について、図２のフローチャートを参照して説明する。
【００５４】
図２の処理は、省エネモード制御を行うルーチンのフローチャートであり、制御部１４は、一定周期毎に通常のメインルーチンから図２のルーチンに制御をジャンプするものとする。
【００５５】
図２の処理において、まず、制御部１４は照度センサ１８による検出光量が、あらかじめ設定された設定値以上か否かを判断する（ステップＳ１）。設定値以上であった場合は（ステップＳ１のＹ）、ステップＳ２に進み、設定値以下であった場合は（ステップＳ１のＮ）、本ルーチンを終了して制御をメインルーチンに戻し、通常の待機動作を行う。
【００５６】
ステップＳ２において、制御部１４はコントローラボード７に問い合わせて、画像形成装置１が省エネモードに移行すべきか否かを確認する。具体的には、コントローラボード７は、あらかじめ設定されている一定時間以上の間、外部のホストコンピュータから印刷ジョブを受け取らなかった場合などに、省エネモードに移行すべきと判断する。コントローラボード７の回答が省エネモードに移行すべきではないというものであった場合は（ステップＳ２のＮ）、本ルーチンを終了して制御をメインルーチンに戻し、通常の待機動作を行う。
【００５７】
コントローラボード７の回答が省エネモードに移行すべきというものであった場合は（ステップＳ２のＹ）、制御部１４はＦＥＴトランジスタ１２，１３をＯＦＦして、制御部１４自身以外の各部の全ての通電を断つ。これにより、画像形成装置１は、この時点から省エネモードに移行して、第２の省電力以降手段を実現する（ステップＳ３）。
【００５８】
省エネモードに移行（ステップＳ３）後、制御部１４は振動センサ１７によって画像形成装置１に加えられた振動を検出するか（ステップＳ４のＹ）、若しくはＬＡＮ９を介して図示しないホストコンピュータから印刷ジョブを受信したことによる割り込みが発生（ステップＳ５のＹ）しない限り、ステップＳ５のＮのループにより省エネモード（ステップＳ３）を維持する。
【００５９】
制御部１４は、振動を検出するか（ステップＳ４のＹ）、割り込み２１が発生したときは、ＦＥＴトランジスタ１２，１３をＯＮにして第２の復帰手段を実現し（ステップＳ５）、制御部１４自身以外の各部の全てについて通電を再開し、省エネモードから復帰する。この
この場合は、コントローラボード７を介して、音声合成回路１９により、画像形成装置１のステータスを音声にてユーザにアナウンスして報知して、報知手段を実現する（ステップＳ６）。アナウンスの内容は、基本的には操作パネル１０のディスプレイに表示する内容をベースとするが、ユーザがそれを聞いただけで内容を簡単に理解できるよう簡潔で充分に吟味された内容の音声メッセージとする。これにより、画像形成装置１が省エネモードから復帰したことなどをユーザに容易に認識させることができる。この後、制御をメインルーチンに戻し、通常の待機動作に移行する。
【００６０】
ステップＳ１において、照度センサ１７の受光量が設定値以下であると判断された場合（ステップＳ１のＮ）、制御部１４は、所定のカウンタを＋１だけカウントして（ステップＳ７）、このカウント値があらかじめ設定された設定回数に達したときは（ステップＳ８のＹ）、すなわち、設定回数に到達する以前に受光量が設定値以上であると判断されなかった（ステップＳ１のＮ）場合は、ステップＳ９に移行して、第１の省電力移行手段を実現する。すなわち、ステップＳ８のＮのループを繰り返すことで、画像形成装置１に光が当たっていない時間が一定時間以上に達したか否かを判断している。
【００６１】
ステップＳ９に移行した場合というのは、ステップＳ８で画像形成装置１に光が当たっていない時間が一定時間以上であると判断された場合であるので、制御部１４は、ＦＥＴトランジスタ１２，１３をＯＦＦして（ステップＳ９）、制御部１４自身以外の各部の全てについての通電を断ち、画像形成装置１はこの時点から省エネモードに移行する。
【００６２】
その後、照度センサ１８の受光量があらかじめ設定された設定値以上か否かを判断する（ステップＳ１０）。設定値以上であった場合は（ステップＳ１０のＹ）、所定のカウンタを＋１だけカウントして（ステップＳ１１）、このカウント値があらかじめ設定された設定回数に達したときは（ステップＳ１２のＹ）、すなわち、設定回数に到達する以前に受光量が設定値を下回ると判断されなかった場合は（ステップＳ１０のＮ）、ステップＳ１３に移行する。すなわち、ステップＳ１２のＮのループを繰り返すことで、画像形成装置１に光が当たっている時間が一定時間以上か否かを判断している。
【００６３】
ステップＳ１３に制御が移行したということは、画像形成装置１に光が当たっている時間が一定時間以上であると判断された場合であるので、ＦＥＴトランジスタ１２，１３をＯＮして、制御部１４は、制御部１４自身以外の各部の全ての通電を再開し、画像形成装置１はこの時点より省エネモードから復帰し、その後は制御をメインルーチンに戻して通常の待機動作に移行する。ステップＳ１３により第１の復帰手段を実現する。
【００６４】
ここで、破線で示される割り込みマスク２２内の処理については、振動センサ１７により振動を検出しても割り込み２１が発生せず、処理はただ単に割り込みマスク２２の内部の各ステップを流れるだけであるが、処理がそれ以外のステップ（ステップＳ１〜Ｓ６）を走っている場合においては、画像形成装置１に振動が加えられたことを検出した時点で割り込み２１が発生し、処理は破線部２３にジャンプしてステップＳ４以降の処理を実行する。そして、それまでの時点において画像形成装置１が省エネルギーモードにあっても、画像形成装置１を省エネルギーモードから復帰させ（ステップＳ５）、その時点における装置のステータスを音声にてユーザに報知する（ステップＳ６）。
【００６５】
なお、本発明は、前述の画像形成装置１のような画像形成装置のみならず、外部と通信することができる各種の電子装置に適用することができる。
【００６６】
【発明の効果】
請求項１に記載の発明は、オフィスなどの本装置の設置場所が夜間に照明を消されると、画像形成装置の状態を省電力状態にはない通常の待機モードなどから省電力状態を維持する省エネモードに移行することができるので、画像形成装置の操作性を向上させることができる。
【００６７】
請求項２に記載の発明は、請求項１に記載の発明において、一時的に室内を消灯した場合などには省エネモードに移行しないので、夜間に照明を消されたことを的確に判断して省エネモードに移行することができる。
【００６８】
請求項３に記載の発明は、請求項１又は２に記載の発明において、翌朝に本装置の設置場所が明るくなると、速やかに画像形成装置の状態を省エネモードから通常の待機モードなどに移行することができ、朝一番の本装置の立ち上げ時においてユーザの待ち時間を低減することができる。
【００６９】
請求項４に記載の発明は、請求項３に記載の発明において、一時的に室内の照明を点灯した場合などには省エネモードに移行しないので、朝が来たことを的確に判断して省エネモードから通常の待機モードなどから復帰することができる。
【００７０】
請求項５に記載の発明は、ホストコンピュータなどから印刷ジョブを送信するなどしても省エネモードから復帰しない構成である画像形成装置などにおいても、操作パネルの操作などは必要なく、本装置を軽く叩くなどすれば省エネモードから通常の待機モードなどに復帰させることができるので、画像形成装置の操作性を向上させることができる。
【００７１】
請求項６に記載の発明は、請求項５に記載の発明において、省エネモードから復帰する際には、画像形成装置を軽く叩くなどすれば画像形成装置の状態（媒体である転写紙の残量、トナーの残量、転写紙がジャムしたときであればジャムの箇所など）を音声でもユーザに伝えることができるので、視覚障害者の方にも簡単な操作で画像形成装置を扱えるようにすることができる。
【００７２】
請求項７に記載の発明は、請求項１〜６のいずれかの一に記載の発明において、あらかじめ設定されている一定期間に画像形成の実行の要求がなかったときは省電力状態に移行する機能を備えた画像形成装置について、請求項１〜６のいずれかの一に記載の発明と同様の作用、効果を奏することができる。
【００７３】
請求項８に記載の発明は、請求項１〜７のいずれかの一に記載の発明と同様の作用、効果を奏する。
【００７４】
請求項９に記載の発明は、オフィスなどの本装置の設置場所が夜間に照明を消されると、電子装置の状態を省電力状態にはない通常の待機モードなどから省電力状態を維持する省エネモードに移行することができるので、電子装置の操作性を向上させることができる。
【００７５】
請求項１０に記載の発明は、請求項９に記載の発明において、翌朝に本装置の設置場所が明るくなると、速やかに電子装置の状態を省エネモードから通常の待機モードなどに移行することができ、朝一番の本装置の立ち上げ時においてユーザの待ち時間を低減することができる。
【００７６】
請求項１１に記載の発明は、請求項９又は１０に記載の発明において、あらかじめ設定されている一定期間に所定のジョブの実行の要求がなかったときは省電力状態に移行する機能を備えた電子装置について、請求項９又は１０に記載の発明と同様の作用、効果を奏することができる。
【図面の簡単な説明】
【図１】本発明の一実施の形態である画像形成装置の電気的な接続のブロック図である。
【図２】画像形成装置が実行する処理のフローチャートである。
【符号の説明】
１  画像形成装置、電子装置
２  電源回路
６  プリンタエンジン
１７  振動センサ
１８  照度センサ
【図１】
2004248047.tif 000003
【図２】
2004248047.tif 000004